(57)【特許請求の範囲】
【請求項１】
長尺なベルト帯と、前記ベルト帯の先端部が差し入れられるバックルと、前記バックルが取り付けられており前記ベルト帯の後端部側に連結される連結体と、を備えた衣服用ベルトであって、
前記連結体には、前記ベルト帯の後端部を拘持するための連結金具が設けられており、
前記連結金具は、金具本体と、前記金具本体にスライド移動可能に配設されているスライド部材と、を備えており、
前記金具本体の一の面に前記ベルト帯の後端部を当接させた状態で、前記スライド部材を前記ベルト帯の長手方向に沿って移動させることで、前記金具本体と前記スライド部材の間に前記ベルト帯の後端部が挟み込まれるように構成されていることを特徴とする衣服用ベルト。
【請求項２】
前記金具本体の一の面に前記ベルト帯の後端部を当接させた状態で、前記スライド部材を前記ベルト帯の先端部側へ移動させることで、前記金具本体と前記スライド部材の間に前記ベルト帯の後端部が挟み込まれるように構成されていることを特徴とする請求項１に記載の衣服用ベルト。
【請求項３】
前記金具本体の一の面には、前記ベルト帯の移動を拘束するための拘束部が設けられていることを特徴とする請求項１又は２に記載の衣服用ベルト。
【請求項４】
前記拘束部は、前記ベルト帯に食い込むように形成されている歯状あるいは爪状の突起であることを特徴とする請求項３に記載の衣服用ベルト。
【請求項５】
前記拘束部は、前記ベルト帯に対して摩擦力を付与するように形成されている鑢状の凹凸面であることを特徴とする請求項３に記載の衣服用ベルト。
【請求項６】
前記金具本体と前記スライド部材の間に前記ベルト帯の後端部を挟み込むのに前記スライド部材を移動させる方向に沿って、前記金具本体の厚みが漸次厚くなるように形成されていることを特徴とする請求項１〜５のいずれか一項に記載の衣服用ベルト。
【請求項７】
前記連結金具は、前記連結体に着脱可能に配設されていることを特徴とする請求項１〜６のいずれか一項に記載の衣服用ベルト。
【発明の詳細な説明】
【技術分野】
【０００１】
本発明は、衣服用ベルトに関する。
【背景技術】
【０００２】
スーツのズボン、カジュアルパンツ及びジーパン等（以下、総称して「ズボン」という）を着る場合、ズボンが下がらないようにベルトを着用する。また場合によっては、ベルトによってファッションを強調したりもする。
【０００３】
そして、一般的な衣服用ベルトとしては、長尺なベルト帯の後端部に連結金具によってバックルが連結されているものが知られている（例えば、特許文献１参照。）。
この衣服用ベルトは、ユーザーの腰回りの寸法に応じてベルト帯の後端部をカットして長さ調整したものに連結金具でバックルを連結するようにして、ユーザー自身がベルトのサイズ調整を行うことが可能になっている。
ユーザーの体形に合わせてサイズ調整された衣服用ベルトであれば、ベルト帯を腰に巻いた状態でベルト帯の先端部をバックルに差し入れて、所望する位置で固定することができる。
【先行技術文献】
【特許文献】
【０００４】
【特許文献１】実開昭５３−１３５７２０号公報
【発明の概要】
【発明が解決しようとする課題】
【０００５】
しかしながら、上記特許文献１の衣服用ベルトでは、連結金具に回動可能に設けられている係止片を押し倒すようにして、係止片の係止歯をベルト帯に食い込ませて連結金具にベルト帯を連結しているので、係止歯がベルト帯に深く食い込んでいるような場合には、その連結を解除するために係止片を引き起こすことが困難になることがあるという問題があった。
そして、連結金具とベルト帯の連結解除が困難であってサイズ調整し難いと、使い勝手が悪い衣服用ベルトであるとしてユーザーから敬遠されてしまうことがある。
【０００６】
本発明の目的は、ユーザーが使い易い衣服用ベルトを提供することである。
【課題を解決するための手段】
【０００７】
以上の課題を解決するため、請求項１に記載の発明は、
長尺なベルト帯と、前記ベルト帯の先端部が差し入れられるバックルと、前記バックルが取り付けられており前記ベルト帯の後端部側に連結される連結体と、を備えた衣服用ベルトであって、
前記連結体には、前記ベルト帯の後端部を拘持するための連結金具が設けられており、
前記連結金具は、金具本体と、前記金具本体にスライド移動可能に配設されているスライド部材と、を備えており、
前記金具本体の一の面に前記ベルト帯の後端部を当接させた状態で、前記スライド部材を前記ベルト帯の長手方向に沿って移動させることで、前記金具本体と前記スライド部材の間に前記ベルト帯の後端部が挟み込まれるように構成されていることを特徴とする。
【０００８】
請求項２に記載の発明は、請求項１に記載の衣服用ベルトにおいて、
前記金具本体の一の面に前記ベルト帯の後端部を当接させた状態で、前記スライド部材を前記ベルト帯の先端部側へ移動させることで、前記金具本体と前記スライド部材の間に前記ベルト帯の後端部が挟み込まれるように構成されていることを特徴とする。
【０００９】
請求項３に記載の発明は、請求項１又は２に記載の衣服用ベルトにおいて、
前記金具本体の一の面には、前記ベルト帯の移動を拘束するための拘束部が設けられていることを特徴とする。
【００１０】
請求項４に記載の発明は、請求項３に記載の衣服用ベルトにおいて、
前記拘束部は、前記ベルト帯に食い込むように形成されている歯状あるいは爪状の突起であることを特徴とする。
【００１１】
請求項５に記載の発明は、請求項３に記載の衣服用ベルトにおいて、
前記拘束部は、前記ベルト帯に対して摩擦力を付与するように形成されている鑢状の凹凸面であることを特徴とする。
【００１２】
請求項６に記載の発明は、請求項１〜５のいずれか一項に記載の衣服用ベルトにおいて、
前記金具本体と前記スライド部材の間に前記ベルト帯の後端部を挟み込むのに前記スライド部材を移動させる方向に沿って、前記金具本体の厚みが漸次厚くなるように形成されていることを特徴とする。
【００１３】
請求項７に記載の発明は、請求項１〜６のいずれか一項に記載の衣服用ベルトにおいて、
前記連結金具は、前記連結体に着脱可能に配設されていることを特徴とする。
【発明の効果】
【００１４】
本発明によれば、ユーザーが使い易い衣服用ベルトが得られる。
【図面の簡単な説明】
【００１５】
【図１】本実施形態の衣服用ベルトを示す正面図である。
【図２】本実施形態の衣服用ベルトを示す側面図である。
【図３】衣服用ベルトの連結体の折返し片に関する説明図（ａ）（ｂ）（ｃ）である。
【図４】本実施形態の衣服用ベルトの連結金具の説明図であり、スライド部材がフック部寄りの配置にある金具本体の一の面側の平面図（ａ）と、金具本体の他の面側の平面図（ｂ）と、その側面図（ｃ）と、スライド部材がフック部から離間した配置にある金具本体の一の面側の平面図（ｄ）と、金具本体の他の面側の平面図（ｅ）と、その側面図（ｆ）である。
【図５】衣服用ベルトのベルト帯と連結金具を連結する手順に関する説明図（ａ）（ｂ）（ｃ）と、ベルト帯と連結金具を連結した状態を示す説明図であり、金具本体の一の面側の平面図（ｄ）と、金具本体の他の面側の平面図（ｅ）である。
【図６】衣服用ベルトの連結体に、ベルト帯が連結された連結金具を連結する手順に関する説明図であり、ベルト帯の表側を表面に出す場合（ａ）（ｂ）と、ベルト帯の裏側を表面に出す場合（ｃ）（ｄ）である。
【図７】衣服用ベルトの連結金具の変形例であり、金具本体の一の面側の平面図（ａ）と、金具本体の他の面側の平面図（ｂ）と、側面図（ｃ）と、その連結金具とベルト帯を連結する手順に関する説明図（ｄ）（ｅ）である。
【図８】衣服用ベルトの連結金具の変形例であり、金具本体の他の面側の平面図（ａ）と、その側面図（ｂ）である。
【図９】衣服用ベルトの連結金具の変形例であり、金具本体の一の面側の平面図（ａ）と、金具本体の他の面側の平面図（ｂ）と、側面図（ｃ）と、連結金具の拘束部側の正面図（ｄ）である。
【図１０】図９の連結金具とベルト帯を連結する手順に関する説明図（ａ）（ｂ）（ｃ）と、ベルト帯と連結金具を連結した状態を示す説明図であり、金具本体の一の面側の平面図（ｄ）と、金具本体の他の面側の平面図（ｅ）である。
【図１１】実施形態２の衣服用ベルトの連結金具を示す斜視図である。
【図１２】図１１の連結金具とベルト帯を連結する手順に関する説明図（ａ）（ｂ）（ｃ）と、ベルト帯と連結金具を連結した状態を示す説明図であり、金具本体の一の面側の平面図（ｄ）と、金具本体の他の面側の平面図（ｅ）である。
【図１３】実施形態２の衣服用ベルトの連結金具の変形例を示す斜視図（ａ）（ｂ）である。
【図１４】図１３の連結金具とベルト帯を連結する手順に関する説明図（ａ）（ｂ）（ｃ）である。
【発明を実施するための形態】
【００１６】
以下、図面を参照して、本発明に係る衣服用ベルトの実施形態について詳細に説明する。但し、以下に述べる実施形態には、本発明を実施するために技術的に好ましい種々の限定が付されているが、本発明の範囲を以下の実施形態及び図示例に限定するものではない。
【００１７】
（実施形態１）
本実施形態の衣服用ベルト１００は、例えば、図１〜図３に示すように、長尺なベルト帯１０と、ベルト帯１０の先端部１１（剣先）が差し入れられるバックル２０と、ベルト帯１０の後端部１２側に連結される連結体３０等を備えている。
【００１８】
ベルト帯１０は、例えば、本革や合成皮革などを材料にした帯状部材である。
ベルト帯１０の後端部１２側には、後述する連結金具５０（図３（ａ）参照）が取り付けられる。
【００１９】
バックル２０は、例えば、ステンレスや真鍮などの金属製の部材であり、ベルトの緩みを防ぐための留め金である。また、バックル２０は各種プラスチック製の部材（留め具）であってもよい。
このバックル２０は、連結体３０の折り返し部分に取り付けられている。
【００２０】
連結体３０は、例えば、本革や合成皮革などを材料にした部材であり、一端側３１がベルトの表側に配され、他端側３２がベルトの裏側に配されるように、バックル２０の取り付け箇所にて折り返されている。
この連結体３０の一端側３１と他端側３２の間に定革３０ａが取り付けられている。
定革３０ａは、例えば、本革や合成皮革などを材料にした輪状の部材であり、バックル２０に差し入れられたベルト帯１０の先端部１１（剣先）が挿通される留め具である。
【００２１】
また、図３（ａ）に示すように、連結体３０には、ベルト帯１０の後端部１２を拘持するための連結金具５０が設けられている。換言すれば、連結体３０には、連結体３０にベルト帯１０を連結するための連結金具５０が設けられている。
連結金具５０は金属製の部材であり、金具本体５１とスライド部材５２とで構成されている。
この連結金具５０は、連結体３０の裏面側に設けられているループ状の帯材４０に着脱可能に配設されている。帯材４０は、例えば、帯状の材料を折り返して、その両端部が連結体３０の一端側３１と他端側３２の間に縫着されて形成されている。
【００２２】
また、図３（ａ）に示すように、この連結体３０には、連結体３０の一部を成している一対の折返し片３３，３４が設けられている。
一対の折返し片３３，３４は、連結体３０の一端側３１の両側の一部が、その幅方向に延設された態様に形成されている。
この折返し片３３，３４は、図３（ｂ）（ｃ）に示すように、連結体３０に連結されたベルト帯１０の後端部１２を覆うように折り返される端片である。
具体的には、連結体３０に連結されたベルト帯１０の後端部１２を覆うように、一方の折返し片３３が折り返され、その一方の折返し片３３に重ねるように、他方の折返し片３４が折り返されるようになっている。
つまり、連結体３０の一端側３１の両側に設けられている一対の折返し片３３，３４は、連結体３０に連結されたベルト帯１０を両側から覆うように折り返される。
【００２３】
そして、一方の折返し片３３における他方の折返し片３４が重ねられる面には止着部材７０が配設されており、他方の折返し片３４における一方の折返し片３３に重ねる面には止着部材７０に止着される被止着部材８０が配設されている。
ここでの止着部材７０はメス型スナップボタンであり、被止着部材８０はオス型スナップボタンである。
なお、一方の折返し片３３における他方の折返し片３４が重ねられる面に配設されている止着部材７０がメス型面ファスナーで、他方の折返し片３４における一方の折返し片３３に重ねる面に配設されている被止着部材８０がオス型面ファスナーであってもよい。
【００２４】
連結金具５０は、例えば、図４（ａ）〜（ｆ）に示すように、金具本体５１と、金具本体５１にスライド移動可能に配設されているスライド部材５２と、を備えている。
この連結金具５０を構成する金具本体５１とスライド部材５２の間に、ベルト帯１０の後端部１２が挟み込まれて拘持されるようになっている。
【００２５】
金具本体５１は、連結体３０に設けられている帯材４０のループに挿通させるためのフック部５１ａを備えている。
また、金具本体５１の一の面には、金具本体５１とスライド部材５２の間に挟み込むベルト帯１０の移動を拘束するための拘束部５１ｂが設けられている。
ここでの拘束部５１ｂは、ベルト帯１０に食い込むように形成されている歯状あるいは爪状の突起であり、突起の尖端を金具本体５１の一の面側に斜めに突き出す態様に形成されている。ここでは尖った突起である３つの拘束部５１ｂが設けられている。
【００２６】
また、金具本体５１の一の面とは反対側の他の面には、スライド部材５２の移動を制限するための凸部５１ｃが設けられている。ここでの凸部５１ｃは半球状に形成されている。
この凸部５１ｃは、金具本体５１に対して配置が切り替えられるスライド部材５２を位置決めするように、それぞれの配置にあるスライド部材５２の移動を制限する機能を有している。
なお、凸部５１ｃは、スライド部材５２が移動しないよう規制してしまうのではなく、自由に動いてしまわないように、ある程度その移動を制限するために設けられている。
【００２７】
スライド部材５２は、短冊状の金属板の両端を折曲加工してなる部材であり、金具本体５１の一の面側を覆うように配設されている。
つまり、スライド部材５２は、金具本体５１の一の面側から他の面側に金属板の両端を折り曲げる態様で取り付けられている。
このスライド部材５２は、金具本体５１の括れ部５１ｄに取り付けられており、スライド部材５２が金具本体５１から外れてしまわないようになっている。
そして、スライド部材５２は、金具本体５１の凸部５１ｃを越えてスライド移動可能であり、金具本体５１の一端側と他端側に配置が切り替えられるようになっている。
【００２８】
次に、衣服用ベルト１００のベルト帯１０と連結金具５０を連結する手順と、ベルト帯１０が連結された連結金具５０を連結体３０に連結する手順について説明する。
【００２９】
まず、ユーザーの腰回りの寸法に応じてベルト帯１０の後端部１２側の一部を切断して長さ調整する。
例えば当初、ベルト帯１０は１００ｃｍ〜１１０ｃｍの長さを有している。
このベルト帯１０の後端部１２側の一部をハサミなどでカットして、所望する長さのベルト帯１０にする。なお、図５（ａ）に示すベルト帯１０は、ユーザーの所望する長さにカットされたものである。
【００３０】
次いで、図５（ｂ）に示すように、金具本体５１の一の面にベルト帯１０の後端部１２を当接させる。
このとき、スライド部材５２を金具本体５１のフック部５１ａ寄りの位置に配置しておき、そのスライド部材５２と金具本体５１の間にベルト帯１０の後端部１２を通して、そのベルト帯１０の後端部１２側を金具本体５１の一の面に当接させる。
【００３１】
次いで、図５（ｃ）に示すように、金具本体５１の一の面にベルト帯１０の後端部１２を当接させた状態で、スライド部材５２をベルト帯１０の長手方向に沿って移動させるように、スライド部材５２をベルト帯１０の先端部１１側へ向けて移動させることで、金具本体５１とスライド部材５２の間にベルト帯１０の後端部１２を挟み込んで、ベルト帯１０と連結金具５０を連結する。
ここで、スライド部材５２をベルト帯１０の先端部１１側へ向けて移動させることは、スライド部材５２を金具本体５１のフック部５１ａ寄りの配置から拘束部５１ｂ側へスライド移動させることに相当する。
このようにして金具本体５１とスライド部材５２の間にベルト帯１０の後端部１２を挟み込むことで、金具本体５１の拘束部５１ｂの尖った突起がベルト帯１０に食い込むので、金具本体５１とスライド部材５２の間に挟み込まれたベルト帯１０が移動するのを好適に拘束することができる。
特に、金具本体５１の拘束部５１ｂ側へ移動されたスライド部材５２は、金具本体５１の凸部５１ｃによってその位置から移動するのを制限されるので、連結金具５０とベルト帯１０との連結が強固になる。
【００３２】
なお、連結金具５０に連結されたベルト帯１０を取り外すには、金具本体５１の凸部５１ｃを乗り越えさせるように、スライド部材５２を金具本体５１のフック部５１ａ側へ押し出すようにすればよい。
衣服用ベルト１００の使用中にスライド部材５２が移動してしまうことはないが、金具本体５１の凸部５１ｃは半球状に形成されているので、やや強めに押し出せば、その凸部５１ｃを乗り越えるようにスライド部材５２を金具本体５１のフック部５１ａ側にスライド移動させることが可能になっている。
【００３３】
また、ここでは図１に示した衣服用ベルト１００のように、ベルト帯１０の表側を表面に出して使用するように、金具本体５１の一の面にベルト帯１０の表側を向けて、ベルト帯１０と連結金具５０を連結している。
つまり、図５（ｄ）（ｅ）においては、金具本体５１の一の面にベルト帯１０の表側が向けられているので、図５（ｄ）ではベルト帯１０の裏側が図示されており、図５（ｅ）ではベルト帯１０の表側が図示されている。
【００３４】
そして、ベルト帯１０の表側を表面に出して使用する場合には、図６（ａ）（ｂ）に示すように、連結体３０の帯材４０のループに図中上側から金具本体５１のフック部５１ａを挿し入れるようにして、ベルト帯１０が連結されている連結金具５０を連結体３０に連結する。
つまり、ベルト帯１０の表側を表面に出して使用する場合、ベルト帯１０が連結されている連結金具５０を、図５（ｄ）の向きで連結体３０に連結すればよい。
なお、ベルト帯１０が連結されている連結金具５０を連結体３０に連結した後、図３（ｂ）（ｃ）に示したように、折返し片３３，３４を折り返すようにする。
【００３５】
一方、ベルト帯１０の裏側を表面に出して使用する場合には、図６（ｃ）（ｄ）に示すように、連結体３０の帯材４０のループに図中下側から金具本体５１のフック部５１ａを挿し入れるようにして、ベルト帯１０が連結されている連結金具５０を連結体３０に連結する。
つまり、ベルト帯１０の裏側を表面に出して使用する場合、ベルト帯１０が連結されている連結金具５０を、図５（ｅ）の向きで連結体３０に連結すればよい。
なお、ベルト帯１０が連結されている連結金具５０を連結体３０に連結した後、図３（ｂ）（ｃ）と同様に、折返し片３３，３４を折り返すようにする。
【００３６】
このように、本実施形態の衣服用ベルト１００では、連結体３０の帯材４０に連結する連結金具５０の向きを変えることで、ベルト帯１０の表裏を切り替えて使用することができる。
つまり、本実施形態の衣服用ベルト１００は、ベルト帯１０の表裏を容易に切り替えることができるリバーシブル仕様になっている。
【００３７】
また、上記実施形態では、図５と図６を用いて説明したように、連結金具５０にベルト帯１０を連結した後に、その連結金具５０を連結体３０に連結して衣服用ベルト１００を使用可能な状態にしたが、連結手順はこの限りでない。
例えば、予め連結体３０に連結されている連結金具５０にベルト帯１０を連結することでも、衣服用ベルト１００を使用可能な状態にすることができる。
【００３８】
このように、本実施形態の衣服用ベルト１００は、ベルト帯１０が連結された連結金具５０を連結体３０に連結した後、あるいは、連結体３０に配設されている連結金具５０にベルト帯１０を連結した後、一対の折返し片３３，３４を折り返して連結体３０に連結されている連結金具５０及びベルト帯１０の後端部１２を両側から覆うようにして、その連結を補強しているので、ベルト帯１０と連結体３０の連結が外れてしまうことはなく、衣服用ベルト１００を好適に使用することができる。
【００３９】
そして、本実施形態の衣服用ベルト１００は、金具本体５１と、その金具本体５１にスライド移動可能に配設されているスライド部材５２とを備えた連結金具５０を備えており、金具本体５１とスライド部材５２の間にベルト帯１０の後端部１２を挟み込んだ連結金具５０が、バックル２０を備えた連結体３０に連結された態様を有している。
特に、金具本体５１とスライド部材５２の間に挟み込んだベルト帯１０には、金具本体５１に設けられている尖った突起状の拘束部５１ｂが刺さるので、連結金具５０にベルト帯１０を好適に連結することができる。
【００４０】
この衣服用ベルト１００において、ベルト帯１０と連結金具５０とを連結するには、金具本体５１の一の面にベルト帯１０の後端部１２を当接させた状態で、スライド部材５２を所定の方向にスライド移動させて、金具本体５１とスライド部材５２の間にベルト帯１０の後端部１２を挟み込むようにする。
また、この衣服用ベルト１００において、連結金具５０に連結されたベルト帯１０を取り外すには、スライド部材５２を連結の際とは逆向きにスライド移動させるようにする。
そして、このスライド部材５２には、ベルト帯１０に食い込ませる係止歯のようなものはないので、従来技術の衣服用ベルトのように、係止歯がベルト帯１０に深く食い込むことで、スライド部材５２がスライド移動し難くなるようなことはない。
つまり、本実施形態の衣服用ベルト１００が備えている連結金具５０であれば、連結金具５０とベルト帯１０の連結や連結解除を好適に行うことができるので、連結金具５０とベルト帯１０との着脱を繰り返すようなサイズ調整を行い易く、ユーザーにとって使い易い衣服用ベルト１００とすることができる。
【００４１】
また、本実施形態の衣服用ベルト１００であれば、ベルト帯１０が連結されている連結金具５０を連結体３０に連結する向きを切り替えることで、ベルト帯１０の表裏を容易に切り替えることができるので、リバーシブル仕様の衣服用ベルトとして使い勝手のよいものになる。
【００４２】
なお、本発明は上記実施形態に限られるものではない。
衣服用ベルト１００は、例えば、図７（ａ）〜（ｅ）に示す連結金具５０を備えたものでもよい。以下、上記実施形態１と同一部分には同符号を付し、異なる部分について説明する。
【００４３】
この連結金具５０は、図７（ａ）（ｂ）（ｃ）に示すように、金具本体５１と、金具本体５１にスライド移動可能に配設されているスライド部材５２と、を備えている。
そして、この連結金具５０の金具本体５１には、フック部５１ａと拘束部５１ｂの間で一の面側に突き出したストッパー５１ｅと、フック部５１ａの反対側の端部が一の面側に折り返されてなる段差部５１ｆとが設けられている。
ここでのストッパー５１ｅは、金具本体５１の一部を金具本体５１の一の面側に略垂直に折り曲げて形成されている。
【００４４】
また、この連結金具５０の金具本体５１の他の面に設けられている凸部５１ｃは、図７（ｃ）に示すように、側面視略直角三角形状を呈している。
具体的には、凸部５１ｃの段差部５１ｆ側の端が、金具本体５１の他の面に対して垂直に形成され、凸部５１ｃのフック部５１ａ側の面が傾斜した面に形成されている。
そして、この凸部５１ｃは、スライド部材５２を金具本体５１のフック部５１ａ寄りの配置から拘束部５１ｂ側へスライド移動させ易くするとともに、スライド部材５２を金具本体５１の拘束部５１ｂ側からフック部５１ａ寄りの配置へスライド移動させ難くする形状に形成されている。
【００４５】
次に、この連結金具５０にベルト帯１０を連結する手順について説明する。
【００４６】
まず、ユーザーの腰回りの寸法に応じてベルト帯１０の後端部１２側の一部を切断して長さ調整する。
そして、図７（ｄ）に示すように、長さ調整されたベルト帯１０の後端部１２を金具本体５１のストッパー５１ｅに突き当てて、そのベルト帯１０の後端部１２を金具本体５１の一の面に当接させる。
このとき、スライド部材５２を金具本体５１のフック部５１ａ寄りの位置に配置しておき、そのスライド部材５２と金具本体５１の間にベルト帯１０の後端部１２を通して、そのベルト帯１０の後端部１２側を金具本体５１の一の面に当接させる。
また、このとき、金具本体５１のストッパー５１ｅにベルト帯１０の後端部１２を突き当てることで、連結金具５０に対してベルト帯１０を位置合わせし易くなっている。
【００４７】
次いで、図７（ｅ）に示すように、金具本体５１の一の面にベルト帯１０の後端部１２を当接させた状態で、スライド部材５２をベルト帯１０の先端部１１側へ向けて移動させることで、金具本体５１とスライド部材５２の間にベルト帯１０の後端部１２を挟み込んで、ベルト帯１０と連結金具５０を連結する。
ここで、スライド部材５２をベルト帯１０の先端部１１側へ向けて移動させることは、スライド部材５２を金具本体５１のフック部５１ａ寄りの配置から拘束部５１ｂ側あるいは段差部５１ｆ側へスライド移動させることに相当する。
このようにして金具本体５１とスライド部材５２の間にベルト帯１０の後端部１２を挟み込むことで、金具本体５１の拘束部５１ｂの尖った突起がベルト帯１０に食い込むので、金具本体５１とスライド部材５２の間に挟み込まれたベルト帯１０が移動するのを好適に拘束することができる。
【００４８】
特に、ベルト帯１０の後端部１２が金具本体５１のストッパー５１ｅに突き当てられているので、より好適にベルト帯１０が移動するのを拘束することができる。
また、金具本体５１とスライド部材５２の間に挟み込まれたベルト帯１０は、金具本体５１の段差部５１ｆによって屈曲されるように、スライド部材５２と段差部５１ｆの間で締め付けられるので、より一層好適にベルト帯１０が移動するのを拘束することができる。
【００４９】
また、金具本体５１の凸部５１ｃは、スライド部材５２を金具本体５１のフック部５１ａ寄りの配置から拘束部５１ｂ側へスライド移動させ易く、スライド部材５２を金具本体５１の拘束部５１ｂ側からフック部５１ａ寄りの配置へスライド移動させ難くする形状を有しているので、連結金具５０とベルト帯１０とを連結し易く、連結金具５０とベルト帯１０とをより強固に連結することが可能になる。
【００５０】
そして、この連結金具５０にベルト帯１０を連結した後、図６（ａ）（ｂ）や図６（ｃ）（ｄ）と同様に、連結金具５０を連結体３０に連結することで、衣服用ベルト１００を使用可能な状態にすることができる。
また、上記実施形態１と同様に、この連結金具５０を予め連結体３０に連結しておき、連結体３０に連結されている連結金具５０にベルト帯１０を連結することでも、衣服用ベルト１００を使用可能な状態にすることができる。
【００５１】
このような連結金具５０であっても、連結金具５０とベルト帯１０の連結や連結解除を好適に行うことができるので、連結金具５０とベルト帯１０との着脱を繰り返すようなサイズ調整を行い易く、ユーザーにとって使い易い衣服用ベルト１００とすることができる。
【００５２】
また、本発明は上記実施形態に限られるものではない。
衣服用ベルト１００は、例えば、図８に示す連結金具５０を備えたものでもよい。以下、上記実施形態１と同一部分には同符号を付し、異なる部分について説明する。
【００５３】
この連結金具５０は、図８（ａ）（ｂ）に示すように、金具本体５１と、金具本体５１にスライド移動可能に配設されているスライド部材５２と、を備えている。
この連結金具５０の金具本体５１は、金具本体５１の一の面側に斜めに突き出した態様の尖った突起である３つの拘束部５１ｂを有している。
この３つの拘束部５１ｂは山型に配列されてなり、中央側の拘束部５１ｂがフック部５１ａ寄りに配置されている。
つまり、３つの拘束部５１ｂのうち、真ん中の拘束部５１ｂが両側の拘束部５１ｂよりもフック部５１ａ側に突き出ている。
【００５４】
また、この連結金具５０の金具本体５１には、フック部５１ａと対向する金具本体５１の一部が一の面側に突き出したストッパー５１ｅと、フック部５１ａの反対側の端部が一の面側に折り返されてなる段差部５１ｆとが設けられている。
ここでのストッパー５１ｅは、金具本体５１の一部を金具本体５１の一の面側に略垂直に折り曲げて形成されている。
【００５５】
このように、この連結金具５０の金具本体５１は、真ん中の拘束部５１ｂが両側の拘束部５１ｂよりもフック部５１ａ側に突き出るように山型に配列された３つの拘束部５１ｂを有している。
【００５６】
そして、山型に配列されてなる３つの拘束部５１ｂを有している金具本体５１であると、連結金具５０にベルト帯１０を連結するのに、ベルト帯１０の後端部１２を金具本体５１のストッパー５１ｅに突き当ててそのベルト帯１０の後端部１２を金具本体５１の一の面に当接させる際に、金具本体５１とスライド部材５２の間にベルト帯１０を挿し入れ易くなる。
これは、金具本体５１とスライド部材５２の間にベルト帯１０を挿し入れる際に、ベルト帯１０の後端部１２が両側の２つの拘束部５１ｂに接触した後、真ん中の拘束部５１ｂに接触することによる。
【００５７】
また、山型に配列されてなる３つの拘束部５１ｂであると、金具本体５１の一の面にベルト帯１０の後端部１２を当接させた状態で、スライド部材５２をベルト帯１０の先端部１１側へ向けて移動させることで、金具本体５１とスライド部材５２の間にベルト帯１０の後端部１２を挟み込んでベルト帯１０と連結金具５０を連結する際、ベルト帯１０に拘束部５１ｂが刺さり易くなる。
これは、真ん中の拘束部５１ｂがベルト帯１０に刺さって食い込んだ後に、両側の２つの拘束部５１ｂがベルト帯１０に刺さって食い込むことによる。
そして、ベルト帯１０に拘束部５１ｂが刺さり易いことで、連結金具５０とベルト帯１０の連結強度が向上するようになる。
【００５８】
このような連結金具５０であっても、図４や図７の連結金具５０と同様に、連結金具５０とベルト帯１０の連結や連結解除を好適に行うことができるので、連結金具５０とベルト帯１０との着脱を繰り返すようなサイズ調整を行い易く、ユーザーにとって使い易い衣服用ベルト１００とすることができる。
【００５９】
また、本発明は上記実施形態に限られるものではない。
衣服用ベルト１００は、例えば、図９、図１０に示す連結金具５０を備えたものでもよい。以下、上記実施形態１と同一部分には同符号を付し、異なる部分について説明する。
【００６０】
この連結金具５０は、図９（ａ）〜（ｄ）に示すように、金具本体５１と、金具本体５１にスライド移動可能に配設されているスライド部材５２と、を備えている。
そして、この連結金具５０の金具本体５１には、フック部５１ａの反対側の端部が一の面側に略垂直に折り曲げられてなる拘束部５１ｂが設けられている。
ここでの拘束部５１ｂは、ベルト帯１０に食い込むように形成されている歯状あるいは爪状の突起であり、突起の尖端を金具本体５１の一の面側に略垂直に突き出す態様に形成されている。ここでは尖った突起である４つの拘束部５１ｂが設けられている。
【００６１】
スライド部材５２は、金具本体５１の一の面側を覆うように配設されており、その両端が他の面側に折り曲げられた態様で取り付けられている。
このスライド部材５２には、スライド部材５２における金具本体５１のフック部５１ａとは反対側の縁にガード片５２ａが設けられている。
このガード片５２ａは、金具本体５１の一の面から離れる側に反り返るように設けられている。
【００６２】
次に、この連結金具５０にベルト帯１０を連結する手順について説明する。
【００６３】
まず、図１０（ａ）に示すように、ユーザーの腰回りの寸法に応じてベルト帯１０の後端部１２側の一部を切断して長さ調整する。
そして、図１０（ｂ）に示すように、長さ調整されたベルト帯１０の後端部１２に金具本体５１の拘束部５１ｂの尖った突起を突き刺すようにして、そのベルト帯１０の後端部１２を金具本体５１の一の面に当接させる。
このとき、スライド部材５２を金具本体５１のフック部５１ａ寄りの位置に配置しておく。
【００６４】
次いで、図１０（ｃ）に示すように、金具本体５１の一の面にベルト帯１０の後端部１２を当接させた状態で、スライド部材５２をベルト帯１０の先端部１１側へ向けて移動させることで、金具本体５１とスライド部材５２の間にベルト帯１０の後端部１２を挟み込んで、ベルト帯１０と連結金具５０を連結する。
ここで、スライド部材５２をベルト帯１０の先端部１１側へ向けて移動させることは、スライド部材５２を金具本体５１のフック部５１ａ寄りの配置から拘束部５１ｂ側へスライド移動させることに相当する。
なお、金具本体５１の拘束部５１ｂの尖った突起がベルト帯１０の後端部１２に刺し込まれており、金具本体５１に対してベルト帯１０が位置合わせされてずれなくなっているので、スライド部材５２をスライド移動させて、そのスライド部材５２と金具本体５１との間にベルト帯１０を挟み込み易くなっている。
特に、スライド部材５２の縁には外側に反り返ったガード片５２ａが設けられているので、やや厚みのあるベルト帯１０であっても、ベルト帯１０の端部がスライド部材５２の縁に引っ掛かることなく、スライド移動するスライド部材５２と金具本体５１との間にベルト帯１０を挟み込むことができる。
【００６５】
また、連結金具５０に連結されたベルト帯１０を取り外すために、スライド部材５２を金具本体５１のフック部５１ａ側へ押し出す際、スライド部材５２のガード片５２ａに指を掛け易いので、そのスライド部材５２を解除の方向にスライド移動させ易く、連結金具５０とベルト帯１０の連結解除を行い易くなる。
【００６６】
そして、この連結金具５０にベルト帯１０を連結した後、図６（ａ）（ｂ）や図６（ｃ）（ｄ）と同様に、図１０（ｄ）（ｅ）に示す連結金具５０を連結体３０に連結することで、衣服用ベルト１００を使用可能な状態にすることができる。
また、上記実施形態１と同様に、この連結金具５０を予め連結体３０に連結しておき、連結体３０に連結されている連結金具５０にベルト帯１０を連結することでも、衣服用ベルト１００を使用可能な状態にすることができる。
【００６７】
このような連結金具５０であっても、連結金具５０とベルト帯１０の連結や連結解除を好適に行うことができるので、連結金具５０とベルト帯１０との着脱を繰り返すようなサイズ調整を行い易く、ユーザーにとって使い易い衣服用ベルト１００とすることができる。
【００６８】
（実施形態２）
次に、本発明に係る衣服用ベルトの実施形態２について説明する。なお、実施形態１と同一部分には同符号を付し、異なる部分について説明する。
【００６９】
実施形態２の衣服用ベルト１００は、例えば、図１１、図１２に示す連結金具５０を備えている。
この連結金具５０は、図１１に示すように、金具本体５１と、金具本体５１にスライド移動可能に配設されているスライド部材５２と、を備えている。
この連結金具５０を構成する金具本体５１とスライド部材５２の間に、ベルト帯１０の後端部１２が挟み込まれて拘持されるようになっている。
【００７０】
金具本体５１は、連結体３０に設けられている帯材４０のループに挿通させるためのフック部５１ａを備えている。
この金具本体５１は、フック部５１ａから離間する方向に沿って、金具本体５１の厚みが漸次厚くなるように形成されている。つまり、この金具本体５１は、略楔形状を呈している。
そして、金具本体５１の一の面が、その裏側の面（他の面）に対して傾斜した傾斜面５１ｓに形成されている。
【００７１】
スライド部材５２は、所定の金属板の両端を折曲加工してなる部材であり、金具本体５１の一の面側を覆うように配設されている。
つまり、このスライド部材５２は、金具本体５１の傾斜面５１ｓ側を覆うように配設されている。
【００７２】
次に、この連結金具５０にベルト帯１０を連結する手順について説明する。
【００７３】
まず、図１２（ａ）に示すように、ユーザーの腰回りの寸法に応じてベルト帯１０の後端部１２側の一部を切断して長さ調整する。
そして、図１２（ｂ）に示すように、長さ調整されたベルト帯１０の後端部１２を、金具本体５１の一の面である傾斜面５１ｓに当接させる。
このとき、スライド部材５２を金具本体５１のフック部５１ａ寄りの位置に配置しておく。
【００７４】
次いで、図１２（ｃ）に示すように、金具本体５１の一の面である傾斜面５１ｓにベルト帯１０の後端部１２を当接させた状態で、スライド部材５２をベルト帯１０の先端部１１側へ向けて移動させることで、金具本体５１とスライド部材５２の間にベルト帯１０の後端部１２を挟み込んで、ベルト帯１０と連結金具５０を連結する。
ここで、スライド部材５２をベルト帯１０の先端部１１側へ向けて移動させることは、スライド部材５２を金具本体５１のフック部５１ａから離間する方向へスライド移動させることに相当する。
【００７５】
特に、金具本体５１は、フック部５１ａから離間する方向に沿って金具本体５１の厚みが漸次厚くなる略楔形状に形成されている。これは、図１２（ａ）〜（ｃ）に示すように、金具本体５１とスライド部材５２の間にベルト帯１０の後端部１２を挟み込むのに、スライド部材５２を移動させる方向に沿って金具本体５１の厚みが漸次厚くなるように形成されていることに相当する。
つまり、フック部５１ａから離間する方向にスライド部材５２を移動させるほど、金具本体５１とスライド部材５２の間隔が狭くなり、その金具本体５１とスライド部材５２の間にベルト帯１０の後端部１２が強く挟み込まれるので、金具本体５１とスライド部材５２の間に挟み込まれたベルト帯１０が移動するのを好適に拘束することができる。
なお、連結金具５０に連結されたベルト帯１０を取り外すように、スライド部材５２を金具本体５１のフック部５１ａ側へ押し出せば、金具本体５１とスライド部材５２の間隔が広がってベルト帯１０の拘束が解かれて、連結金具５０とベルト帯１０の連結解除がなされる。
【００７６】
そして、この連結金具５０にベルト帯１０を連結した後、図６（ａ）（ｂ）や図６（ｃ）（ｄ）と同様に、図１２（ｄ）（ｅ）に示す連結金具５０を連結体３０に連結することで、衣服用ベルト１００を使用可能な状態にすることができる。
また、上記実施形態１と同様に、この連結金具５０を予め連結体３０に連結しておき、連結体３０に連結されている連結金具５０にベルト帯１０を連結することでも、衣服用ベルト１００を使用可能な状態にすることができる。
【００７７】
このように、実施形態２の衣服用ベルト１００の連結金具５０は、略楔形状に形成された金具本体５１を備えているので、尖った突起を有していなくても、金具本体５１とスライド部材５２の間にベルト帯１０を圧接するように挟み込んで、そのベルト帯１０が移動するのを好適に拘束することができる。
つまり、スライド部材５２によってベルト帯１０が圧接される金具本体５１の傾斜面５１ｓは、金具本体５１にベルト帯１０を拘束するための拘束部として機能しているといえる。
【００７８】
このような連結金具５０であっても、連結金具５０とベルト帯１０の連結や連結解除を好適に行うことができるので、連結金具５０とベルト帯１０との着脱を繰り返すようなサイズ調整を行い易く、ユーザーにとって使い易い衣服用ベルト１００とすることができる。
【００７９】
なお、本発明は上記実施形態に限られるものではない。
衣服用ベルト１００は、例えば、図１３、図１４に示す連結金具５０を備えたものでもよい。以下、上記実施形態１や実施形態２と同一部分には同符号を付し、異なる部分について説明する。
【００８０】
この連結金具５０は、図１３（ａ）、図１３（ｂ）に示すように、略楔形状を呈する金具本体５１と、金具本体５１にスライド移動可能に配設されているスライド部材５２と、を備えている。
この金具本体５１の一の面が、その裏側の面（他の面）に対して傾斜した傾斜面に形成されている。
【００８１】
そして、この連結金具５０の金具本体５１の一の面には、金具本体５１とスライド部材５２の間に挟み込むベルト帯１０の移動を拘束するための拘束部５１ｇが設けられている。
ここでの拘束部５１ｇは、ベルト帯１０に対して摩擦力を付与するように形成されている鑢状の凹凸面である。
鑢状の凹凸面は、例えば、図１３（ａ）に示すような複目やすり面や、図１３（ｂ）に示すような波目やすり面（段目やすり面）などであればよい。なお、鑢状の凹凸面（やすり面）は任意であり、例えば、単目やすり面や鬼目やすり面などであってもよい。
【００８２】
次に、この連結金具５０にベルト帯１０を連結する手順について説明する。
【００８３】
まず、図１４（ａ）に示すように、ユーザーの腰回りの寸法に応じてベルト帯１０の後端部１２側の一部を切断して長さ調整する。
そして、図１４（ｂ）に示すように、長さ調整されたベルト帯１０の後端部１２を、金具本体５１の一の面に当接させる。この金具本体５１の一の面には鑢状の凹凸面である拘束部５１ｇが設けられているので、金具本体５１の一の面（拘束部５１ｇ）に当接されたベルト帯１０はその摩擦抵抗で滑り難いため、金具本体５１に対して位置合わせし易い。
このとき、スライド部材５２を金具本体５１のフック部５１ａ寄りの位置に配置しておく。
【００８４】
次いで、図１４（ｃ）に示すように、金具本体５１の一の面の拘束部５１ｇ（鑢状の凹凸面で）にベルト帯１０の後端部１２を当接させた状態で、スライド部材５２をベルト帯１０の先端部１１側へ向けて移動させることで、金具本体５１とスライド部材５２の間にベルト帯１０の後端部１２を挟み込んで、ベルト帯１０と連結金具５０を連結する。
ここで、スライド部材５２をベルト帯１０の先端部１１側へ向けて移動させることは、スライド部材５２を金具本体５１のフック部５１ａから離間する方向へスライド移動させることに相当する。
【００８５】
このようにして略楔形状の金具本体５１とスライド部材５２の間にベルト帯１０の後端部１２を圧接するように挟み込むことができる。
特に、金具本体５１とスライド部材５２の間に挟み込まれたベルト帯１０には、金具本体５１の拘束部５１ｇ（鑢状の凹凸面）による摩擦力が強く作用するので、金具本体５１とスライド部材５２の間からベルト帯１０がずれ難くなって、そのベルト帯１０を好適に拘束することができる。
【００８６】
そして、この連結金具５０にベルト帯１０を連結した後、図６（ａ）（ｂ）や図６（ｃ）（ｄ）と同様に、連結金具５０を連結体３０に連結することで、衣服用ベルト１００を使用可能な状態にすることができる。
また、上記実施形態１と同様に、この連結金具５０を予め連結体３０に連結しておき、連結体３０に連結されている連結金具５０にベルト帯１０を連結することでも、衣服用ベルト１００を使用可能な状態にすることができる。
【００８７】
このように、この連結金具５０は、略楔形状に形成された金具本体５１の一の面に鑢状の拘束部５１ｇが設けられているので、金具本体５１とスライド部材５２の間にベルト帯１０を圧接するように強く挟み込んで、そのベルト帯１０が移動するのを好適に拘束することができる。
【００８８】
このような連結金具５０であっても、連結金具５０とベルト帯１０の連結や連結解除を好適に行うことができるので、連結金具５０とベルト帯１０との着脱を繰り返すようなサイズ調整を行い易く、ユーザーにとって使い易い衣服用ベルト１００とすることができる。
【００８９】
以上のように、本実施形態の衣服用ベルト１００が備えている連結金具５０は、ベルト帯１０の連結や連結解除を好適に行うことができる構造を有しているので、連結金具５０とベルト帯１０との着脱を繰り返すようなサイズ調整を行い易い。
そして、このような連結金具５０を備えた衣服用ベルト１００は、サイズ調整し易いベルトとして好適に使用することができる。
【００９０】
なお、以上の実施の形態においては、実施形態１の連結金具５０（金具本体５１）の拘束部として、歯状あるいは爪状の突起（拘束部５１ｂ）を設けるようにしたが、本発明はこれに限定されるものではなく、例えば、実施形態１の連結金具５０（金具本体５１）の拘束部として、ベルト帯１０に対して摩擦力を付与するように形成されている鑢状の凹凸面（拘束部５１ｇ）を設けるようにしてもよい。
また、実施形態１の連結金具５０の金具本体５１を略楔形状に形成するようにしてもよい。
【００９１】
また、以上の実施の形態においては、実施形態１の連結金具５０の金具本体５１に３つの尖った拘束部５１ｂ（図４，図７，図８）、４つの尖った拘束部５１ｂ（図９）を設けるようにしたが、本発明はこれに限定されるものではなく、拘束部５１ｂの数は任意であり、２つの尖った拘束部５１ｂや５つ以上の尖った拘束部５１ｂを設けるようにしてもよい。
例えば、金具本体５１の一の面側に斜めに突き出した態様の４つの尖った拘束部５１ｂを設け、その両側２つの拘束部５１ｂよりも、内側２つの拘束部５１ｂがフック部５１ａ側に突き出ているようにしてもよい（図８の連結金具５０の変形例）。
【００９２】
また、その他、具体的な細部構造等についても適宜に変更可能であることは勿論である。
【符号の説明】
【００９３】
１０    ベルト帯
１１    先端部
１２    後端部
２０    バックル
３０    連結体
３０ａ  定革
３１    一端側
３２    他端側
３３    一方の折返し片
３４    他方の折返し片
４０    帯材
５０    連結金具
５１    金具本体
５１ａ  フック部
５１ｂ  拘束部
５１ｃ  凸部
５１ｄ  括れ部
５１ｅ  ストッパー
５１ｆ  段差部
５１ｇ  拘束部
５１ｓ  傾斜面
５２    スライド部材
５２ａ  ガード片
７０    止着部材
８０    被止着部材
１００  衣服用ベルト
【要約】
【課題】ユーザーが使い易い衣服用ベルトを実現する。
【解決手段】衣服用ベルト１００は、金具本体５１と、その金具本体５１にスライド移動可能に配設されているスライド部材５２とを備えた連結金具５０を備えており、金具本体５１とスライド部材５２の間にベルト帯１０の後端部１２を挟み込んだ連結金具５０が、バックル２０を備えた連結体３０に連結された態様を有している。特に、金具本体５１とスライド部材５２の間に挟み込んだベルト帯１０には、金具本体５１に設けられている尖った突起状の拘束部５１ｂが刺さるので、連結金具５０にベルト帯１０を好適に連結することができる。
【選択図】図３【図１】
0006902306.tif 000002
【図２】
0006902306.tif 000003
【図３】
0006902306.tif 000004
【図４】
0006902306.tif 000005
【図５】
0006902306.tif 000006
【図６】
0006902306.tif 000007
【図７】
0006902306.tif 000008
【図８】
0006902306.tif 000009
【図９】
0006902306.tif 000010
【図１０】
0006902306.tif 000011
【図１１】
0006902306.tif 000012
【図１２】
0006902306.tif 000013
【図１３】
0006902306.tif 000014
【図１４】
0006902306.tif 000015